(57)【要約】【課題】支持体に使い捨ての清掃用シートを取り付けて拭き取りを行ったときに、清掃用シートの広い領域を有効に使用することができ、また清掃用シートを被清掃面に安定して摺動させることができるようにする。【解決手段】把持部８の先端部８ａに支持体２が取り付けられている。この支持体２は、支持プレート５と弾性変形可能な清掃機能部材１１を有しており、清掃用シートは前記清掃機能部材１１の表面１１ａに設置される。清掃機能部材１１は、中心部１２において表面１１ａの突出量が小さく、その両側の突出頂部１３，１３において突出量が大きくなっている。前記表面１１ａを清掃用シートを介して被清掃面２５に押し付けたときに、突出頂部１３，１３の部分が変形してこの部分で清掃用シートを押し付けることができる。また中心部１２付近では、比較的大きなゴミを捕捉することができる。【選択図】　　図３
2004033530.tif 000002
【特許請求の範囲】
【請求項１】
支持体と、前記支持体に連結されまたは前記支持体と一体に形成された把持部とを有し、前記支持体の少なくとも一方の側に、清掃用シートを設置可能な清掃作業面が形成された清掃用具において、
前記支持体は、第１の方向の寸法が第２の方向の寸法よりも長い形状で、前記第１の方向へ二分する中心部を有しており、
前記清掃作業面には、前記中心部を挟んで第１の方向へ所定距離離れた両側部分に、前記中心部よりもその表面が突出した突出頂部が設けられており、少なくとも突出頂部を含む所定の領域が、弾性変形可能な部材により形成されていることを特徴とする清掃用具。
【請求項２】
前記突出頂部を通って第１の方向に延びる面で切断した断面において、前記清掃作業面と前記断面との交線は、前記突出頂部から前記中心部にかけて徐々に突出寸法が小さくなる凹曲線である請求項１記載の清掃用具。
【請求項３】
前記突出頂部を通って前記第２の方向へ延びる面で切断した断面において、前記清掃作業面と前記断面との交線は、前記断面の両側部から断面の中間部に向けて徐々に突出する突曲線である請求項１または２記載の清掃用具。
【請求項４】
前記突出頂部から前記中心部に至る全ての箇所において、前記第２の方向へ延びる面で切断したときの断面と前記清掃作業面との交線は、前記断面の両側部よりも中間部に向けて徐々に突出する突曲線である請求項３記載の清掃用具。
【請求項５】
前記突出頂部を通って前記第２の方向へ延びる面で切断した断面において、前記清掃作業面と前記断面との交線は、前記断面の両側部から中間部に向けて徐々に突出しさらに前記断面の中央部において突出量が小さくなる突曲線である請求項１または２記載の清掃用具。
【請求項６】
前記支持体の少なくとも前記突出頂部を含む所定の領域には、弾性変形可能な複数の突起が設けられており、前記清掃作業面が、個々の突起の先端面を包含する仮想面である請求項１ないし５のいずれかに記載の清掃用具。
【発明の詳細な説明】
【０００１】
【発明の属する技術分野】
本発明は、清掃用シートが取り付けられて床や家具などの清掃を行う清掃用具に係り、特に清掃用シートの表面を広い範囲で有効に使用することができる清掃用具に関する。
【０００２】
【従来の技術およびその課題】
不織布などで形成された使い捨ての清掃用シートは、専用の清掃用具に取り付けられて使用される。
【０００３】
前記清掃用具は、プレート状の支持体と、前記支持体の上面に連結された把持部を有する構造が一般的である。前記支持体は、下面が清掃作業側であり、清掃用シートは、前記下面に設置されるとともに、両縁部が支持体の上面に巻き付けられ、前記両縁部が前記上面で固定される。
【０００４】
前記支持体の下面に取り付けられた清掃用シートを床面などの被清掃面に当て、前記柄を保持して前記清掃用シートを被清掃面に沿って摺動させることにより、前記被清掃面のゴミや埃を前記清掃用シートで捕捉できるようにしている。
【０００５】
しかし、従来の前記支持体は、清掃作業側である下面が平坦面であるため、この平坦面に設置されている清掃用シートのうち、前記平坦面の縁部を覆う部分にゴミや埃が溜まりやすいが、それよりも内側の部分にはゴミや埃が付着しずらくなっている。よって、前記縁部を覆う部分にゴミや埃が多く付着した時点で、清掃用シートの清掃効果が低下することになり、清掃用シートの面全域を有効に利用することができない。
【０００６】
特に、床面などに散っているパン屑などのような比較的大きなゴミは、前記縁部を覆う部分に付着しやすく、前記内側の部分でこれら大きなゴミを捕捉するのが困難である。
【０００７】
また特許第２９８１１１０号の特許掲載公報に開示された清掃用具は、前記支持体の清掃作業側に、発泡ウレタンなどのクッション性を有するベース体が設けられ、前記ベース体の表面形状は、長手方向と直交する方向において、その方向での中央部に向かうにしたがって突出量が段階的に増加するものとなっている。また、特開２００１−２９９６５９号公報にも、前記支持体の清掃作業側に、発泡ウレタンなどで形成された清掃クッション体が設けられた清掃用具が開示されている。前記清掃クッション体は湾曲したものであり、その表面は、支持体の長手方向と直交する方向において、その方向での中央部に向かうにしたがって徐々に突出量が大きくなる湾曲形状となっている。そして、前記清掃クッション体に清掃用シートを設置して床面などの被清掃面に押し付けたときに、前記清掃クッション体の表面が平坦面に変形できるようになっている。
【０００８】
しかし、前記従来例は、いずれも支持体の表面が、長手方向と直交する方向においてその方向での中央部が突出している形状であるため、前記支持体に清掃用シートを取り付けて拭き取りを行ったときに、前記の突出している部分にゴミや埃を付着させることは可能であるが、支持体の長手方向に向けて突出量が一定であるため、拭き取りの際に比較的大きなゴミが前記突出している部分で押し出され、これら比較的大きなゴミを有効に捕捉できない。
【０００９】
さらに、前記特開２００１−２９９６５９号公報に記載のものは、支持体を床面などに強く押し付けると、清掃クッション体の表面が平坦面に変形するため、結果的には下面が平坦面の支持体を使用することと同じになり、清掃用シートの表面を広い範囲にわたって有効に利用することができない。
【００１０】
また、前記従来例は、いずれも支持体の表面が、長手方向と直交する方向での中央部で突出しているが、この突出部は長手方向へ均一に連続しているため、前記清掃作業側の表面を床面に設置したときに支持体が不安定である。よって、床面などを拭いているときに、柄から支持体へ与える力をうまく加減しないと、支持体が極端に傾いたり、さらに最悪の場合には、支持体が拭き方向の前方へ向けて転倒するなどの問題が生じやすい。
【００１１】
本発明は上記従来の課題を解決するものであり、支持体に清掃用シートを設置して拭き取り作業を行ったときに、清掃用シートの表面全域を拭き取り作業に有効に利用でき、また比較的大きなゴミも捕捉しやすくした清掃用具を提供することを目的としている。
【００１２】
また本発明は、支持体を床面などの被清掃面に沿って移動させるときの安定性に富み、支持体を前記被清掃面に沿って安定して摺動させることができる清掃用具を提供することを目的としている。
【００１３】
【課題を解決するための手段】
本発明は、支持体と、前記支持体に連結されまたは前記支持体と一体に形成された把持部とを有し、前記支持体の少なくとも一方の側に、清掃用シートを設置可能な清掃作業面が形成された清掃用具において、
前記支持体は、第１の方向の寸法が第２の方向の寸法よりも長い形状で、前記第１の方向へ二分する中心部を有しており、
前記清掃作業面には、前記中心部を挟んで第１の方向へ所定距離離れた両側部分に、前記中心部よりもその表面が突出した突出頂部が設けられており、少なくとも突出頂部を含む所定の領域が、弾性変形可能な部材により形成されていることを特徴とするものである。
【００１４】
本発明の清掃用具では、支持体の長手方向（第１の方向）に沿う向きにおいて、清掃作業面は、第１の方向での中央部で突出量が小さく前記中央部を挟む両側において突出量が大きくなっているため、清掃用シートを取り付けて被清掃面を拭き取ったときに、前記中央部分でゴミや埃を捕捉しやすくなり、パン屑などの比較的大きなゴミも清掃用シートの中央部で捕捉できるようになる。
【００１５】
また、支持体の清掃作業側は、第１の方向に向く両側に突出頂部が設けられているため、この清掃作業側を床面などに当てたときの安定感に優れ、さらに、少なくとも突出頂部が弾性変形可能となっているため、把持部に力を与えたときに支持体が床面などをスムーズに摺動できるようになる。
【００１６】
例えば、前記突出頂部を通って第１の方向に延びる面で切断した断面において、前記清掃作業面と前記断面との交線は、前記突出頂部から前記中心部にかけて徐々に突出寸法が小さくなる凹曲線である。
【００１７】
このように構成すると、前記支持体を床面などに押し付ける力を加減することにより、清掃作業面の平坦状に変形する領域の面積を調整できるとともに、突出量の小さい中央部と床面との接触状態を調整できる。したがって清掃用シートの比較的広い面積で、ゴミや埃を有効に捕捉できるようになる。
【００１８】
また、前記突出頂部を通って前記第２の方向へ延びる面で切断した断面において、前記清掃作業面と前記断面との交線は、前記断面の両側部から断面の中間部に向けて徐々に突出する突曲線であることが好ましく、さらに、前記突出頂部から前記中心部に至る全ての箇所において、前記第２の方向へ延びる面で切断したときの断面と前記清掃作業面との交線は、前記断面の両側部よりも中間部に向けて徐々に突出する突曲線であることが好ましい。
【００１９】
清掃作業面が前記形状であると、支持体を往復移動させたときに支持体を往復移動の両方向に向けて適度に傾かせることができ、清掃用シートの往動作のときには前部領域を被清掃面に優先的に当接させることができ、復動作のときは後部領域を被清掃面に優先的に当接させることができるようになって、清掃用シートの表面を有効に使用できるようになる。
【００２０】
あるいは、前記突出頂部を通って前記第２の方向へ延びる面で切断した断面において、前記清掃作業面と前記断面との交線は、前記断面の両側部から中間部に向けて徐々に突出しさらに前記断面の中央部において突出量が小さくなる突曲線であってもよい。
【００２１】
この構造では、清掃用シートを装着した支持体を床面に設置したときに、支持体の設置状態が安定する。
【００２２】
また、前記清掃作業面は連続面であってもよいが、前記支持体の少なくとも前記突出頂部を含む所定の領域には、弾性変形可能な複数の突起が設けられており、前記清掃作業面が、個々の突起の先端面を包含する仮想面とすることも可能である。
【００２３】
清掃作業側に弾性変形可能な突起が設けられているものでは、個々の突起が変形することにより、前記仮想面が自由に変形できるようになり、被清掃面に対して追従性がよくなり、また安定した姿勢で拭き取りができるようになる。
【００２４】
【発明の実施の形態】
図１は本発明の第１の実施の形態の清掃用具に清掃用シートが取り付けられた状態を示す斜視図、図２は清掃用シートを外した状態の清掃用具の斜視図、図３は図２のＩＩＩ−ＩＩＩ線の断面図、図４は図３のＩＶ−ＩＶ線の断面図、図５は図３のＶ−Ｖ線の断面図、図６は前記清掃用具の清掃作業動作を示す側面図、図７は図６のＶＩＩ矢視の正面図である。
【００２５】
前記第１の実施の形態の清掃用具１は、清掃用シート２０を取り付けることが可能な支持体２と、前記支持体２に連結された把持部８とを有している。前記支持体２は、下面側が清掃作業側３であり、上面側が支持側４である。
【００２６】
前記支持体２は長方形状であり、Ｘ方向が第１の方向で、Ｘ方向と直交するＹ方向が第２の方向である。また、前記第１の方向の寸法が第２の方向の寸法よりも大きい。そして前記第２の方向（Ｙ方向）が清掃作業を行う際の前記支持体２の主な摺動方向である。また、支持体２は、第１の方向（Ｘ方向）へ延びる長辺縁部２ａ，２ｂと、第２の方向（Ｙ方向）へ延びる短辺縁部２ｃ，２ｄを有している。
【００２７】
前記支持体２は、前記支持側４に支持プレート５が設けられている。この支持プレート５は合成樹脂を材料とした射出成型、または軽合金を材料としたダイキャスト成型などにより形成されたものである。前記支持プレート５の上面には一対の支持突起５ａ，５ａが形成されており、前記支持突起５ａと支持突起５ａとの間に、中間支持体６が軸６ａにより回動自在に支持されている。前記把持部８の先端部８ａは二つの上に分岐し、それぞれの腕が前記中間支持体６の両側に位置しており、前記先端部８ａは、軸６ｂによって前記中間支持体６に回動自在に連結されている。その結果、前記把持部８は、Ｘ方向とＹ方向の双方へ向けて倒れることができるようになっている。
【００２８】
前記支持プレート５の上面には、前記支持突起５ａ，５ａが形成されている部分の両側に、それぞれ押え部材７，７が設けられている。この押え部材７，７は、前記支持突起５ａ，５ａに向く基端部が、軸７ａ，７ａによって前記支持プレート５に回動自在に連結されている。図２と図３に示すように、前記押え部材７，７は、支持プレート５の上面に形成された凹部５ｂ，５ｂ内に倒れこむことができるようになっている。図１に示すように、清掃用シート２０が設置されたときに、その長辺２２，２２を、前記押え部材７，７で支持プレート５の上面に押さえ込んで清掃用シート２０の縁部を固定する止着手段として機能できるようになっている。
【００２９】
前記支持体２の清掃作業側３には、清掃機能部材１１が設けられている。第１の実施の形態では、前記清掃機能部材１１が、弾性変形可能な材料で全体が一体に形成されて、前記支持プレート５の下面に密着して固定されている。前記清掃機能部材１１を構成する弾性変形可能な材料は、発泡ウレタンや発泡ポリエチレンあるいはゴムスポンジなどの発泡成型されたものであり、あるいはエラストマーである。
【００３０】
図３ないし図５に示すように、前記清掃機能部材１１は、裏面１１ｂが平坦面でこの裏面１１ｂが前記支持プレート５の下面に密着して固定されている。また、前記清掃機能部材１１の表面１１ａは三次元的に変化する連続曲面であり、この表面１１ａが清掃作業面となっている。
【００３１】
支持プレート５の長方形状の中心において前記支持プレート５に垂直に延びる中心線をＯ−Ｏとしたときに、前記表面１１ａは、前記中心線Ｏ−Ｏに対して回転対称形状である。また、前記中心線Ｏ−Ｏは、前記支持体２を第１の方向（Ｘ方向）と第２の方向（Ｙ方向）の双方に二分する中心線である。図３では、前記表面１１ａと前記中心線Ｏ−Ｏとが交叉する点を中心部１２として示している。
【００３２】
図３は、前記中心線Ｏ−Ｏを含むＸ−Ｚ面（第１の方向へ延びる面）で切断したときの断面図であり、図５は、前記中心線Ｏ−Ｏを含むＹ−Ｚ面（第２の方向へ延びる面）で切断したときの断面図である。図４は、図３において清掃機能部材１１の厚みが最も大きい突出頂部１３を通るＹ−Ｚ面で切断した断面図である。
【００３３】
図４と図５に示す断面に現れている前記表面１１ａの稜線の形状は、中心線Ｏ−Ｏを通るＸ−Ｚ面に対して面対称形状である。
【００３４】
図４の断面に現れている前記表面１１ａの稜線は、長辺縁部２ａと長辺縁部２ｂとの中点（突出頂部１３）において下方向へ最も突出し、前記中点から前記長辺縁部２ａおよび長辺縁部２ｂに向けてその突出量が徐々に小さくなる下に向けて突状の曲線である。同様に図５に断面として現れている前記表面１１ａの稜線も、長辺縁部２ａと長辺縁部２ｂとの中点（中心部１２）において下方向へ最も突出し、前記中点から前記長辺縁部２ａと長辺縁部２ｂに向けてその突出量が徐々に小さくなる下方に向けて突形状の曲線である。
【００３５】
この実施の形態では、前記中心部１２から前記突出頂部１３に至る領域の全ての箇所のＹ−Ｚ面の断面において、その断面に現れる表面１１ａの稜線が、長辺縁部２ａと長辺縁部２ｂとの中点において下方向へ最も突出し、前記中点から前記長辺縁部２ａおよび長辺縁部２ｂに向けてその突出量が徐々に小さくなる突曲線形状である。
【００３６】
図３の断面図に現れている前記表面１１ａの稜線は、前記中心部１２から突出頂部１３まで連続する線となっている。図３では、中心部１２において前記稜線の下方向への突出量が最も小さく、前記中心部１２を起点として、その両側方に位置する前記突出頂部１３と突出頂部１３に向けて、前記稜線の下方向への突出量が徐々に大きくなっている。そして、前記突出頂部１３と突出頂部１３との間で、前記稜線は凹状の曲線となっている。また、突出頂部１３と短辺縁部２ｃとの間では、前記稜線の下方向の突出量が前記短辺縁部２ｃに向けて徐々に小さくなる。これは他方の突出頂部１３と短辺縁部２ｄとの間においても同じである。
【００３７】
また図３の断面と平行なＸ−Ｚ面の断面で前記支持体２を切断したときに、その断面がどの位置であっても、その断面に現れる清掃機能部材１１の表面１１ａの稜線の下方向の突出量は、前記中心部１２と同じ位置で最も小さく、その位置から突出頂部１３と同じ位置に向けて徐々に大きくなる凹曲線形状である。
【００３８】
図３に示すように、第１の方向（Ｘ方向）における前記中心部１２からそれぞれの短辺縁部２ｃ，２ｄまでの長さをＬ０とし、前記中心部１２からそれぞれの突出頂部１３，１３までの最短距離をＬ１としたときに、前記Ｌ１はＬ０／２以上でＬ０以下が好ましく、さらに好ましくは前記Ｌ１が前記（２／３）・Ｌ０以上でＬ０以下である。前記範囲であれば、前記表面１１ａが清掃用シートを介して床面などの被清掃面に加圧されたときに、支持体２の姿勢を安定させることができる。
【００３９】
また、前記中心部１２と前記突出頂部１３とのＺ方向の高低差Ｈは、１ｍｍ以上で１５ｍｍ以下が好ましく、さらに好ましくは３ｍｍ以上で１０ｍｍ以下である。前記範囲内であると、前記表面１１ａが清掃用シートを介して、床面などに押し付けられて、突出頂部１３の部分を起点として、表面１１ａが平坦となるように押圧変形させられたときに、その中間の凹形状の部分で、清掃用シートの表面と被清掃面とを軽く接触させた状態、または清掃用シートと被清掃面との間に前記清掃用シートの表面から突出する繊維や糸が存在する状態とすることができる。その結果、前記凹形状の部分で表面シートに比較的大きなゴミを捕捉させることができるようになる。
【００４０】
前記清掃用具１の支持体２に取り付けられる清掃用シート２０は、長方形であり使い捨て用である。この清掃用シート２０は、スパンレース不織布などの不織布で形成されて、不織布の表面に現れている起毛状の繊維でゴミや埃を捕捉できるようにしたものである。あるいは、前記不織布を基材として、この不織布の表面に長繊維などの多数の繊維または繊維を縒った糸が自由に動くことができるように取り付けられて、この繊維間または糸間でゴミや埃を捕捉できるようにしたものである。
【００４１】
図１に示すように、前記清掃用シート２０は、清掃に適した表面が外側に向けられた状態で、前記支持体２の清掃作業側３において、前記清掃機能部材１１の表面１１ａに設置される。このとき清掃用シート２０の短辺２１，２１が、支持体２の短辺縁部２ｃ，２ｄと平行に向けられ、清掃用シート２０の長辺２２，２２が、支持体２の支持側４に向けて巻き付けられる。そして、前記清掃用シート２０の長辺２２，２２が支持プレート５の凹部５ｂ，５ｂと押え部材７，７とで挟まれるようにして固定される。
【００４２】
図１のように、支持体２に清掃用シート２０が取り付けられた状態で、清掃用シート２０を床面などの被清掃面２５に設置し、把持部８によって支持体２を被清掃面２５に押し付けて、被清掃面２５に沿って摺動させると、清掃用シート２０の表面で被清掃面２５上のゴミや埃を捕捉できる。把持部８で支持体２を被清掃面２５に押し付けると、清掃機能部材１１が圧縮変形するが、このとき、最初に突出頂部１３，１３の部分で、清掃機能部材１１が圧縮変形する。そして、前記突出頂部１３，１３から中心部１２にかけて表面１１ａが曲線的に変化しているため、把持部８の押し付け力を変えることにより、前記表面１１ａの平面状に変形している領域の面積を加減できる。
【００４３】
また、突出頂部１３と突出頂部１３との中間部分において前記表面１１ａは被清掃面２５から少し離れた状態、または清掃用シート２０を介して被清掃面２５に軽く押圧された状態となる。よって前記中間部分に位置する清掃用シート２０は、その表面の繊維や糸が被清掃面２５に接触している状態、あるいは清掃用シート２０の表面が被清掃面２５に軽く接触する状態となる。そのため、被清掃面２５の表面に存在するパン屑のような比較的大きなゴミを、表面１１ａに設置された清掃用シート２０の中央部分に案内して捕捉することができる。
【００４４】
また、把持部８から支持体２の中央部分に押圧力が作用し、前記把持部８から所定距離Ｌ１，Ｌ１だけ離れた両側に突出頂部１３，１３が設けられているため、清掃用シート２０を介して支持体２が被清掃面２５に安定して押し付けられるようになり、支持体２は安定した姿勢で被清掃面２５上を摺動できるようになる。
【００４５】
図６は、把持部８をＹ２方向へ斜めに倒し、把持部８の上部を握って、支持体２を前記第２の方向へ向けて矢印Ｙ１方向へ摺動させている状態を示す側面図、図７は図６のＶＩＩ矢視方向から見た正面図である。
【００４６】
前記支持体２に設けられた清掃機能部材１１の表面１１ａは、図４および図５に示すように側方から見たときに、長辺縁部２ａと長辺縁部２ｂとの中点で突出量が最も大きく、且つ前記中点に対してＹ方向の両側で面対称となる突曲面形状である。
【００４７】
したがって、図６に示すように把持部８から支持体２の中心部に対して作業押圧力Ｆが斜めに与えられると、支持体２は摺動方向の前方に向く長辺縁部２ａが下に向く傾斜姿勢となる。このとき、突出頂部１３，１３の付近ではその前方部分が被清掃面２５に優先的に加圧されるため、図７に示すように、清掃機能部材１１の表面１１ａに、Ｘ方向へ間隔を開けて平坦面（ｉ）（ｉ）が形成され、この平坦面（ｉ）（ｉ）の下に位置する清掃用シート２０が被清掃面２５に密着する。前記平坦面（ｉ）（ｉ）は、作業押圧力Ｆの作用点の両側に位置しているため、支持体２の姿勢が安定し、支持体２が、図６の姿勢からさらに前方へ倒れ込んで前方へ転倒することが生じにくい。
【００４８】
この状態で矢印Ｙ１方向へ摺動させると、主に平坦面（ｉ）（ｉ）において清掃用シート２０の表面にゴミや埃が付着しやすくなる。また、表面１１ａの摺動方向の前方で且つ前記平坦面（ｉ）と平坦面（ｉ）との間に位置する中間部分（ｉｉ）では、清掃用シート２０の表面の繊維や糸が被清掃面２５に接触する状態で存在し、あるいは清掃用シート２０の表面が被清掃面２５に軽く接触した状態となる。よって、この中間部分（ｉｉ）においてパン屑のような比較的大きなゴミを捕捉しやすくなる。
【００４９】
また、図６の状態で、把持部８を前記とは逆のＹ２方向へ引くと、支持体２は図６とは逆の倒れ方向すなわちＹ２側前方の長辺縁部２ｂが下に向く倒れ姿勢となる。このときは、支持体２の清掃機能部材１１の表面１１ａのＹ２側の部分に前記平坦部（ｉ）（ｉ）および中間部分（ｉｉ）が形成される。そしてこれらの部分が矢印Ｙ１方向へ摺動するときと同様の清掃機能を発揮できる。
【００５０】
よって、支持体２をＹ１方向とＹ２方向へ交互に摺動させることにより、清掃機能部材１１の表面１１ａを覆っている清掃用シート２０の表面の全域を効率よく使用して、ゴミや埃、さらにはパン屑のような比較的大きなゴミを捕捉することができる。
【００５１】
図８は、前記清掃用具１の支持体２に、前記清掃用シート２０とは異なる清掃用シート２６が取り付けられた状態を示している。この清掃用シート２６は、清掃機能部材１１の表面１１ａに設置される基材２７に自由状態の繊維２８が多数取り付けられたものである。前記基材２７は、熱可塑性繊維を含む不織布などで、前記繊維２８は、ＴＯＷと称される長繊維の集合体を解すことにより形成されたものであり、この繊維２８の束の基部が前記基材２７に熱融着されるなどして前記清掃用シート２６が形成されている。または前記繊維を縒った糸が基材２７の表面に多数固定されたものを清掃用シートとして用いてもよい。
【００５２】
この清掃用シート２６を用いると、清掃機能部材１１の表面１１ａを清掃用シート２６を介して被清掃面２５に押し付けたときに、清掃用シート２６のうちの被清掃面２５から離れている部分において、前記自由状態の繊維２８または糸が、基材２７と被清掃面２５との間に位置するようになり、基材２７が被清掃面２５から離れている部分において、パン屑などの比較的大きなゴミを前記繊維２８または糸で絡み取ることができる。また繊維２８または糸に絡み取られたゴミが被清掃面２５に落下することが生じ難くなる。
【００５３】
図９は本発明の第２の実施の形態の清掃用具１０１を示す正面図、図１０は前記清掃用具１０１を側方のＸ矢視方向から見た側面図である。
【００５４】
なお、図９と図１０に示す実施の形態において、図１ないし図８に示した第１の実施の形態の清掃用具１と同じ構造の部分には同じ符号を付してその説明を省略する。
【００５５】
第２の実施の形態の清掃用具１０１の支持体１０２は、把持部８が連結されている支持プレート５の清掃作業側３に清掃機能部材１１１が取り付けられている。この清掃機能部材１１１では、プレート状の基部１１２と、この基部１１２から突出する多数の突起１１３とが一体に形成されている。前記清掃機能部材１１１は、天然ゴムや合成ゴムあるいはその他のエラストマーなどの弾性変形可能な材料で形成されており、個々の突起１１３が弾性変形可能である。
【００５６】
この清掃機能部材１１１の個々の突起１１３の先端面を含む仮想連続面を、清掃機能部材１１１の表面１１１ａとすると、この表面１１１ａが、図１ないし図８に示した清掃機能部材１１の表面１１ａと同じ曲面の清掃作業面となっている。
【００５７】
したがって、前記清掃用具１０１の支持体１０２に清掃用シート２０を取り付けて、被清掃面２５の拭き取りを行うと、そのときの清掃機能部材１１１の変形状態および埃やゴミの捕捉機能は、前記第１の実施の形態の清掃用具１を用いた場合とほぼ同じである。
【００５８】
ただし、図９と図１０に示す清掃用具１０１では、個々の突起１１３が変形しやすいため、清掃機能部材１１１を比較的耐久性のある材料で形成しても、前記表面１１１ａを自由に変形させることができるようになる。
【００５９】
図１１は、本発明の第３の実施の形態の清掃用具２０１を示す正面図である。なお、図１１に示す実施の形態においても、図１ないし図８に示した第１の実施の形態の清掃用具１と同じ構造の部分には同じ符号を付してその説明を省略する。
【００６０】
第３の実施の形態の清掃用具２０１では、支持体２０２に把持部８の先端部８ａが連結されている。前記支持体２０２は、支持プレート５に清掃機能部材２１１が取り付けられている。前記清掃機能部材２１１は、前記中心部１２を起点として、Ｘ方向の左右両側へ所定の寸法で形成された中央機能部材２１２を有し、その両側に側部機能部材２１３，２１３が密着して設けられている。
【００６１】
前記中央機能部材２１２は、Ｘ方向に沿うどの位置においてもＹ−Ｚ面の断面形状が同じであり、その断面形状は図５に現れている清掃機能部材１１の断面と同じである。また、側部機能部材２１３，２１３の断面形状は、図４に示した清掃機能部材１１の断面形状と同じであり、この側部機能部材２１３，２１３は、図３に示す第１の実施の形態の前記清掃機能部材１１において、中央部分を除去したのと同じ形状である。
【００６２】
よって清掃機能部材２１１の表面２１１ａの形状は、図１１の正面からみたときに、中心部１２を中心とするＸ方向の所定範囲で、下方向への突出量が小さく、側部機能部材２１３，２１３に設けられた突出頂部１３，１３においてその突出量が最大となっている。
【００６３】
第３の実施の形態の清掃用具２０１では、中央機能部材２１２と側部機能部材２１３，２１３の双方が弾性変形可能な同じ材料で形成されていてもよいし、あるいは中央機能部材２１２が実質的に弾性変形せず、側部機能部材２１３，２１３が弾性変形可能な材料で形成されていてもよい。または、中央機能部材２１２が実質的に弾性変形せず、側部機能部材２１３，２１３が、図９と図１０に示すように多数の弾性変形可能な突起１１３を有するものであってもよい。
【００６４】
図１２は本発明の第４の実施の形態の清掃用具３０１を示す図５と同様の中心線Ｏ−Ｏを含むＹ−Ｚ面の断面図である。
【００６５】
この実施の形態は、前記図１ないし図１２に示す全ての実施の形態の変形例となるものであり、前記各実施の形態と同じ構造の部分には同じ符号を付してその説明を省略する。
【００６６】
前記清掃用具３０１の支持体３０２は、支持プレート５の清掃作業側３に清掃機能部材３１１が取り付けられている。この清掃機能部材３１１は、第１の実施の形態の清掃機能部材１１と同じ弾性変形可能な材料で一体に形成されている。清掃機能部材３１１の表面３１１ａの曲面形状は、長辺縁部２ａの前方すなわち正面から見たときの形状が、図７と同じである。また中心部１２でのＹ−Ｚ面での断面形状は、図５に示す清掃機能部材１１の断面形状と同じである。
【００６７】
そして、図３に示すように中心部１２から両側に距離Ｌ１，Ｌ１だけ離れたそれぞれの部分では、突出頂部１３ａ，１３ｂがＹ方向へ間隔を開けて、且つそれぞれが中心線Ｏ−Ｏに対してＹ方向の両側に同じ間隔を開けた位置に形成されている。
【００６８】
この清掃用具３０１では、支持体３０２に清掃用シート２０を取り付けて、被清掃面２５を摺動させる際に、４箇所の前記突出頂部１３ａ，１３ａ，１３ｂ，１３ｂの部分で清掃用シート２０が被清掃面２５に当たるため、支持体３０２の姿勢が安定し、被清掃面２５上で支持体３０２を各方向へ摺動させたときに、支持体３０２が傾きにくくなり、安定した摺動を実現できる。
【００６９】
また支持体３０２を被清掃面２５に押し付けて清掃機能部材３１１を変形させたときに、４箇所の前記突出頂部１３ａ，１３ａ，１３ｂ，１３ｂの部分でその表面３１１ａが平坦面に変形でき、またこの平坦面の面積は支持体３０２に与える押圧力により加減できる。またこの平坦面以外の領域で、清掃用シート２０と被清掃面２５との間に比較的大きなゴミを捕捉しやすくなる。
【００７０】
またこの実施の形態では、支持体３０２に取り付けられた清掃用シート２０の表面の各箇所に均一に埃やゴミが付着するため、清掃用シート２０の表面全体を有効に使用することができる。
【００７１】
なお、図１２に示す第４の実施の形態での清掃機能部材３１１は、図９と図１０に示す多数の弾性変形可能な突起を有するものであってもよいし、図１１に示すように中央機能部材と、その両側の側部機能部材とに分離されたものであってもよい。
【００７２】
図１３は本発明の第５の実施の形態の清掃用具４０１を示す斜視図、図１４は図１３をＸＩＶ矢視方向から見た側面図、図１５は図１３をＸＶ方向から見た正面図である。
【００７３】
この清掃用具４０１は、柄状の把持部４０８の先端に支持体４０２が連結されている。この支持体４０２は、支持部材４０５を有している。支持部材４０５の基端面には支持腕４０５ａが一体に突出形成されており、前記把持部４０８の先端部は、前記支持腕４０５ａに軸４０６によって回動自在に連結されている。
【００７４】
前記支持体４０２はテーパ形状であり、相反する面４０５ｂ，４０５ｂが互いに鋭角の角度を有して対向した傾斜面となっている。そして、前記面４０５ｂ、４０５ｂのそれぞれに、清掃機能部材４１１，４１１が取り付けられている。この清掃機能部材４１１，４１１は、第１の実施の形態の清掃機能部材１１、第２の実施の形態の清掃機能部材１１１、第３の実施の形態の清掃機能部材２１１、第４の実施の形態の清掃機能部材３１１のいずれかと同じものであってよいが、図１５では、２つの清掃機能部材３１１が、前記第１の実施の形態の清掃機能部材１１と同じものとなっている。
【００７５】
図１３に示すように、前記支持体４０２に清掃用シート２０を取り付けるときには、この清掃用シート２０が、２つの清掃機能部材４１１，４１１の表面４１１ａ，４１１ａの双方を覆うように設置され、その長辺２２，２２が清掃機能部材４１１，４１１の裏面に面ファスナーや粘着テープなどで止着される。
【００７６】
この清掃用具４０１では、上下両側に清掃機能部材４１１の表面４１１ａ，４１１ａが向けられているため、それぞれの表面４１１ａが清掃作業面として機能し、第１の実施の形態などと同様の清掃効果を発揮することができる。また把持部４０８を立てて使用することにより、支持体４０２と清掃用シート２０を用いて箒のように埃やゴミを払うように作業することもできる。
【００７７】
なお、前記各実施の形態では、清掃機能部材の表面の突出頂部がほぼ１点となるように前記表面が曲面形状となっているが、前記突出頂部が所定の面積の平面となっているものであってもよい。
【００７８】
また、前記各実施の形態の清掃用具は、清掃用シートを取り付けて、室内の床面などを清掃するのに適したものであり、それぞれの支持体は、第１の方向（Ｘ方向）の長さ寸法が２００〜３００ｍｍ、第２の方向（Ｙ方向）の長さ寸法が５０〜１５０ｍｍのもので、前記のように支持体が長方形状のものの他、支持体が楕円または長円形状のものとして構成できる。
【００７９】
ただし、前記支持体に比較的短い把持部が一体に突出形成されているもので、片手で持って清掃作業を行えるものであってもよい。
【００８０】
【発明の効果】
以上のように本発明では、支持体に取り付けられる清掃シートの表面を広い範囲で有効に利用して埃やゴミを捕捉することができ、またパン屑などの比較的大きなゴミも捕捉しやすくなる。また清掃用シートを取り付けて被清掃面を摺動させるときに、支持体の姿勢を安定させることができる。
【図面の簡単な説明】
【図１】本発明の第１の実施の形態の清掃用具に清掃用シートを取り付けた状態を示す斜視図、
【図２】第１の実施の形態の清掃用具を、清掃用シートを外した状態で示す斜視図、
【図３】図２のＩＩＩ−ＩＩＩ線で切断した断面図、
【図４】図３のＩＶ−ＩＶ線で切断した断面図、
【図５】図３のＶ−Ｖ線で切断した断面図、
【図６】第１の実施の形態の清掃用具の使用状態を示す側面図、
【図７】図６の使用状態をＶＩＩ矢視方向から見た正面図、
【図８】第１の実施の形態に、自由状態の繊維または糸を有する清掃用シートを取り付けた状態を示す側面図、
【図９】本発明の第２の実施の形態の清掃用具を示す正面図、
【図１０】図９をＸ方向から見た側面図、
【図１１】本発明の第３の実施の形態の清掃用具を示す正面図、
【図１２】本発明の第４の実施の形態の清掃用具を示す中央線で切断した断面図、
【図１３】本発明の第５の実施の形態の清掃用具および清掃用シートを示す斜視図、
【図１４】図１３をＸＩＶ矢視方向から見た側面図、
【図１５】図１３をＸＶ矢視方向から見た正面図、
【符号の説明】
１，１０１，２０１，３０１，４０１　清掃用具
２，１０２，２０２，３０２，４０２　支持体
３　清掃作業側
４　支持側
５　支持プレート
８　把持部
１１，１１１，２１１，３１１，４１１　清掃機能部材
１１ａ，１１１ａ，２１１ａ，３１１ａ，４１１ａ　表面
２０，２６　清掃用シート
２５　被清掃面
２１２　中央機能部材
２１３　側部機能部材
【図１】
2004033530.tif 000003
【図２】
2004033530.tif 000004
【図３】
2004033530.tif 000005
【図４】
2004033530.tif 000006
【図５】
2004033530.tif 000007
【図６】
2004033530.tif 000008
【図７】
2004033530.tif 000009
【図８】
2004033530.tif 000010
【図９】
2004033530.tif 000011
【図１０】
2004033530.tif 000012
【図１１】
2004033530.tif 000013
【図１２】
2004033530.tif 000014
【図１３】
2004033530.tif 000015
【図１４】
2004033530.tif 000016
【図１５】
2004033530.tif 000017